(57)【特許請求の範囲】
【請求項１】
複数本のアンカーボルトの上・下端部が取り付けられてこれらのアンカーボルト相互間を位置決めして支持する四角枠板状の上・下型板部材と、
土の上に直接敷設された捨てコンクリートと前記下型板部材との間に配置されるよう構築される支持枠体と
を備えたアンカーボルト支持構造において、
一端部が前記上型板部材の複数辺部の少なくとも１つの辺部と連結され、他端部がこれらの複数辺部の内側に配筋された鉄筋部材同士の交叉部に連結された固定手段を設け、
前記上型板部材と共に前記固定手段を介して前記アンカーボルトを前記鉄筋部材に固定するようにした
ことを特徴とするアンカーボルト固定構造。
【請求項２】
複数本のアンカーボルトの上・下端部が取り付けられてこれらのアンカーボルト相互間を位置決めして支持する四角枠板状の上・下型板部材と、
土の上に直接敷設された捨てコンクリートと前記下型板部材との間に配置されるよう構築される支持枠体と
を備えたアンカーボルト支持構造において、
一端部が前記上型板部材の複数辺部の少なくとも１つの辺部と連結され、他端部がこれらの複数辺部の内側に配筋された鉄筋部材同士の交叉部に連結された固定手段を設けたアンカーボルト固定構造を用いて
前記上型板部材と共に前記固定手段を介して前記アンカーボルトを前記鉄筋部材に固定するようにした
ことを特徴とするアンカーボルト固定方法。
【請求項３】
前記固定手段が引張手段を有することを特徴とする請求項１に記載のアンカーボルト固定構造。
【請求項４】
前記固定手段が引張手段を有することを特徴とする請求項２に記載のアンカーボルト固定方法。
【請求項５】
Ｕ字状であってその両端部のそれぞれに雄ネジが形成されたＵボルトと、このＵボルトの両端部に嵌合する孔を有する短尺帯状部材と、前記Ｕボルトの両端部それぞれの雄ネジとネジ締結するナットとを有する締結手段を備え、
前記鉄筋部材同士の交叉部を、前記締結手段のＵボルトの中央部と短尺帯状部材との間に挟み込んで前記ナットを締め付けることにより一体的に締結し、
前記固定手段の他端部を前記締結手段の短尺帯状部材に連結した
ことを特徴とする請求項１又は３に記載のアンカーボルト固定構造。
【請求項６】
Ｕ字状であってその両端部のそれぞれに雄ネジが形成されたＵボルトと、このＵボルトの両端部に嵌合する孔を有する短尺帯状部材と、前記Ｕボルトの両端部それぞれの雄ネジとネジ締結するナットとを有する締結手段を備え、
前記鉄筋部材同士の交叉部を、前記締結手段のＵボルトの中央部と短尺帯状部材との間に挟み込んで前記ナットを締め付けることにより一体的に締結し、
前記固定手段の他端部を前記締結手段の短尺帯状部材に連結する
ことを特徴とする請求項２又は４に記載のアンカーボルト固定方法。
【発明の詳細な説明】
【０００１】
【発明の属する技術分野】
本発明は、建築工事に使用されるアンカーボルトに関し、例えば、アンカーボルトを基礎コンクリート中に埋設する前に、予めアンカーボルトの位置決めをすると共にアンカーボルトを固定するためのアンカーボルト固定構造及びアンカーボルト固定方法に関するものである。
【０００２】
【従来の技術】
建築物等の柱を基礎コンクリートに機械的に連結するための柱脚に用いられるアンカーボルトとしては、例えば図５に示すようなものがある。同図において符号３０はアンカーボルトであり、このアンカーボルト３０の基礎コンクリート３５の上面から突出する上端ネジ部は、ベースプレート２７（柱脚金物）及び締付ナット３１を介して柱２８に連結されている。
【０００３】
柱２８の下端部とベースプレート２７とは溶接により一体的に固定されており、ベースプレート２７の周端部は締付ナット３１を二重に締め付けることによりアンカーボルト３０と機械的に連結されている。アンカーボルト３０の下端部には四角板状の定着金物３２と四角枠板状の下型板部材３８が、上下の締付ナット３９と４１の間に挾まれて固定されている。このようなアンカーボルト３０は、例えば４本１組で柱２８の下端部のベースプレート２７を固定するようになっている。
【０００４】
アンカーボルト３０は基礎コンクリート３５中に埋め込まれる前に、図６に示すように、その下端部は定着金物３２と共に下型板部材３８に取り付けられると共に、アンカーボルト３０の上端部も上型板部材３６に取り付けられ、これらの上・下型板部材３６，３８によりアンカーボルト３０はその相互間の位置決めが行われると共に、一体的に支持されるアンカーボルト支持構造が用いられていた。
【０００５】
また、図６に示すように、アンカーボルト３０の上端部には締付ナット３１がネジ結合するネジ部３０ａが形成され、その下端部には締付ナット３９，４１がネジ結合するネジ部３０ｂが形成されている。また、アンカーボルト３０のネジ部３０ａと３０ｂとの間のストレート部３０ｃの周囲には、基礎コンクリート３５とアンカーボルト３０とが直接接触するのを防止するための遮断スリーブ３４が設けられている。
【０００６】
アンカーボルト３０は工場において一定の長さに作られるため、図６に示すように、その上端部が基礎コンクリート３５の上面から突出するようにするには、流動状のコンクリートをその型枠内に流し込む前に、アンカーボルト３０を丁度良い高さに固定する必要がある。このためアンカーボルト３０は、それが取り付けられた下型板部材３８の下側の、Ｌ型アングル部材４０，４２，４３を溶接により固定して組立てた支持枠体５０を介して、捨てコンクリート４４上に固定されるようになっている。
【０００７】
しかしながら、これだけでは基礎コンクリート３５の型枠内にコンクリートを流し込んだときに、流れて移動するコンクリートによりアンカーボルト３０が押されて、そのせっかく位置決めしたアンカーボルト３０の位置がずれてしまい、建築物等の柱２８を設計した位置に正確に立てられなくなるおそれがある。
【０００８】
このため従来は、図７に示すように、上型板部材３６の各辺部３６ａ〜３６ｃに、Ｌ型アングル部材４７の一端部を溶接して、それらのＬ型アングル部材４７の他端部を基礎コンクリート３５の型枠の一部にボルトや釘で固定したり、或は近傍にそのような型枠がないときは、最も近い隣に設けられた支持枠体５０の上の上型板部材３６に迄Ｌ型アングル部材４７の他端部を伸ばして、その上型板部材３６にＬ型アングル部材４７の他端部を溶接して、流し込んだコンクリートによりアンカーボルト３０が容易には動かないようにしていた。
【０００９】
【発明が解決しようとする課題】
しかしながら、このような従来のアンカーボルト支持構造においては、上型板部材３６の近傍に型枠等のＬ型アングル部材４７の他端部を固定する場所がないときは実施できないと共に、隣のアンカーボルト支持構造の上型板部材３６にＬ型アングル部材４７の他端部を固定する場合は、長いＬ型アングル部材４７が何本も必要となって、アンカーボルト支持構造の固定のためのコストが増大するという問題があった。また、上型板部材３６の近傍に型枠があったとしても、型枠が木製の場合は割れたりするおそれがあり、型枠にＬ型アングル部材４７の他端部が固定する力が溶接のように強力にできない。
【００１０】
そこで本発明は、上記問題点に鑑みて、上型板部材の近傍にＬ型アングル部材の他端部を固定する場所がなくとも、また隣のアンカーボルト支持構造の上型板部材にまでＬ型アングル部材の他端部を伸ばして固定しなくともアンカーボルトを固定することができる、アンカーボルト固定構造及びアンカーボルト固定方法を提供することを課題とするものである。
【００１１】
【課題を解決するための手段】
上記課題を解決するために、本発明によるアンカーボルト固定構造は、
複数本のアンカーボルトの上・下端部が取り付けられてこれらのアンカーボルト相互間を位置決めして支持する四角枠板状の上・下型板部材と、
土の上に直接敷設された捨てコンクリートと前記下型板部材との間に配置されるよう構築される支持枠体と
を備えたアンカーボルト支持構造において、
一端部が前記上型板部材の複数辺部の少なくとも１つの辺部と連結され、他端部がこれらの複数辺部の内側に配筋された鉄筋部材同士の交叉部に連結された固定手段を設け、
前記上型板部材と共に前記固定手段を介して前記アンカーボルトを前記鉄筋部材に固定するようにしたことを特徴とするものである。
【００１２】
また本発明によるアンカーボルト固定方法は、
複数本のアンカーボルトの上・下端部が取り付けられてこれらのアンカーボルト相互間を位置決めして支持する四角枠板状の上・下型板部材と、
土の上に直接敷設された捨てコンクリートと前記下型板部材との間に配置されるよう構築される支持枠体と
を備えたアンカーボルト支持構造において、
前記上型板部材の複数辺部の各々とこれらの近傍に配筋された鉄筋部材の間に固定手段を設けたアンカーボルト固定構造を用いて
前記上型板部材と共に前記固定手段を介して前記アンカーボルトを前記鉄筋部材に固定することを特徴とするものである。
【００１３】
このような構成のアンカーボルト固定構造及びアンカーボルト固定方法によれば、上型板部材の複数辺部の各々とこれらの近傍に配筋された鉄筋部材の間に固定手段を設けたため、上型板部材と共に固定手段を介してアンカーボルトを鉄筋部材に固定することができる。
【００１４】
【発明の実施の形態】
以下、本発明の実施の形態について、図面に基づいて具体的に説明する。
図１ないし図４は、本発明によるアンカーボルト固定構造及びアンカーボルト固定方法の第１の実施の形態を説明するために参照する図である。既に説明したアンカーボルト支持構造、部品等と共通する部分はその重複する説明を省略する。
【００１５】
図１，図２において、アンカーボルト３０の周囲で、流し込むコンクリートの型枠４９に囲まれたスペース内には、コンクリートが固まったときに鉄筋コンクリートを構成する主鉄筋５５（鉄筋部材）や補助鉄筋５６が多数本張りめぐらされている。主鉄筋５５同士が交叉する部分は、図３に示すようなＵボルト５７と短尺帯状鉄板５８をナット６０で締め付ける締結手段７０により締結されている。
【００１６】
図１に示すように、上型板部材３６の複数の辺部３６ａ〜３６ｃの各々と、それらの近傍の締結手段７０の短尺帯状鉄板５８との間には、図４に示すような、ターンバックル６２（引張手段）とその一端部に溶接された短尺板部材６４により構成された固定手段６５の両端部が溶接されて連結されている。そして固定手段６５のターンバックル６２を回転させることにより、上型板部材３６の複数の辺部３６ａ，３６ｂ，３６ｃと締結手段７０との各々の間の引張力を緩めたり強くしたりして、アンカーボルト３０の位置を修正したり、確定したりして、主鉄筋５５に上型板部材３６を強く固定することができる。
【００１７】
このような構成のアンカーボルト固定構造及びアンカーボルト固定方法によれば、上型板部材３６の複数辺部３６ａ，３６ｂ，３６ｃの各々とこれらの近傍に配筋された主鉄筋５５の間に固定手段６５を設けたため、上型板部材３６と共に固定手段６５を介してアンカーボルト３０を主鉄筋５５に固定することができる。
【００１８】
なお、上記実施の形態における締結手段７０の代りに、それによく似た構造のシャックルを用いて互いに交叉する主鉄筋５５間を締結してもよい。
【００１９】
また、上記実施の形態においては上型板部材３６の３辺部の各々に３本の固定手段６５の一端部を溶接した場合について説明したが、上型板部材３６の４辺部の各々に４本の固定手段６５の一端部を溶接してもよいことはいうまでもない。
【００２０】
以上、本発明の実施の形態について具体的に述べてきたが、本発明は上記の実施の形態に限定されるものではなく、本発明の技術的思想に基づいて、その他にも各種の変更が可能なものである。
【００２１】
【発明の効果】
以上説明したように、本発明のアンカーボルト固定構造及びアンカーボルト固定方法によれば、上型板部材の複数辺部の各々とこれらの近傍に配筋された鉄筋部材の間に固定手段を設けたため、上型板部材と共に固定手段を介してアンカーボルトを鉄筋部材に固定することができる。
【図面の簡単な説明】
【図１】本発明の第１の実施の形態に係るアンカーボルト固定構造を示す平面図である。
【図２】図１におけるアンカーボルト固定構造のＳ−Ｓ線断面図である。
【図３】締結手段の正面図である。
【図４】固定手段の一部破断平面図である。
【図５】アンカーボルトを用いた柱脚構造を示す図である。
【図６】アンカーボルト支持構造を示す図である。
【図７】従来のアンカーボルト支持構造の固定方法を説明する上型板部材の平面図である。
【符号の説明】
２７  ベースプレート
２８  柱
３０  アンカーボルト
３０ａ，３０ｂ  ネジ部
３０ｃ  ストレート部
３１  締付ナット
３２  定着金物
３４  遮断スリーブ
３５  基礎コンクリート
３６  上型板部材
３６ａ〜３６ｃ  複数の辺部
３８  下型板部材
３９，４１  締付ナット
４０，４２，４３，４７  Ｌ型アングル部材
４４  捨てコンクリート
４５  アンカーピン
４９  コンクリートの型枠
５０  支持枠体
５５  主鉄筋
５６  補助鉄筋
５７  Ｕボルト
５８  短尺帯状鉄板
６０  ナット
６２  ターンバックル
６４  短尺板部材
６５  固定手段
７０  締結手段
【図１】
0004122409.tif 000002
【図２】
0004122409.tif 000003
【図３】
0004122409.tif 000004
【図４】
0004122409.tif 000005
【図５】
0004122409.tif 000006
【図６】
0004122409.tif 000007
【図７】
0004122409.tif 000008